(57)【要約】  内蔵バッテリ（９３）と、第１バッテリ（９１）と、第２バッテリ（９２）を設け、第１バッテリ（９１）を係止する第１ラッチと、第２バッテリ（９２）を係止する第２ラッチを設ける。また、第１ラッチおよび第２ラッチの開閉を検出するラッチ開閉検出部（１７０）と、第１バッテリ（９１）、第２バッテリ（９２）、および内蔵バッテリ（９３）の残量を検出するバッテリ残量検出部（１９５）を設ける。また、ＬＥＤ（８）と、ＬＥＤ（８）の点灯および消灯を制御するＬＥＤ制御部（２５１）を設ける。また、ＬＥＤ制御部（２５１）は、第１ラッチまたは第２ラッチの開放が検出された場合、第１バッテリ（９１）、第２のバッテリ（９２）ならびに内蔵バッテリ（９３）の少なくともいずれかから自機に電力を供給可能な場合に、ＬＥＤ（８）を第１の点灯態様で点灯させる。さらに、ＬＥＤ制御部（２５１）は、第１バッテリ（９１）、第２のバッテリ（９２）ならびに、内蔵バッテリ（９３）から自機に電力を供給できない場合に、ＬＥＤ（８）を第２の点灯態様で点灯させる。
2016114143.tif 000002
【特許請求の範囲】
【請求項１】
バッテリから供給される電力により動作可能な電子機器であって、
第１バッテリを脱着可能に装着する第１装着部と、
前記第１バッテリと異なる第２バッテリを脱着可能に装着する第２装着部と、
本体に内蔵された内蔵バッテリと、
前記第１装着部に装着された前記第１バッテリを係止する第１ラッチと、
前記第２装着部に装着された前記第２バッテリを係止する第２ラッチと、
前記第１ラッチおよび前記第２ラッチの開閉を検出するラッチ開閉検出部と、
前記第１バッテリおよび前記第２バッテリならびに前記内蔵バッテリの残量を検出するバッテリ残量検出部と、
発光ダイオードと、
前記発光ダイオードの点灯および消灯を制御する発光ダイオード制御部と、を有し、
前記発光ダイオード制御部は、
前記ラッチ開閉検出部が前記第１ラッチの開放を検出した場合、前記バッテリ残量検出部による検出結果に基づいて、前記第２バッテリ、および前記内蔵バッテリの少なくともいずれかから自機に電力を供給可能な場合に、前記発光ダイオードを第１の点灯態様で点灯させ、前記第２バッテリ、および前記内蔵バッテリから自機に電力を供給できない場合に、前記発光ダイオードを第２の点灯態様で点灯させ、
前記ラッチ開閉検出部が前記第２ラッチの開放を検出した場合、前記バッテリ残量検出部による検出結果に基づいて、前記第１バッテリ、および前記内蔵バッテリの少なくともいずれかから自機に電力を供給可能な場合に、前記発光ダイオードを第１の点灯態様で点灯させ、前記第１バッテリ、および前記内蔵バッテリから自機に電力を供給できない場合に、前記発光ダイオードを前記第２の点灯態様で点灯させる、ことを特徴とする電子機器。
【請求項２】
前記発光ダイオード制御部は、
前記バッテリ残量検出部が前記第１バッテリの容量に対する残量の比が所定値よりも大きいことを検出した場合に、前記第１バッテリから自機に電力を供給可能であると判断し、
前記バッテリ残量検出部が前記第２バッテリの容量に対する残量の比が所定値よりも大きいことを検出した場合に、前記第２バッテリから自機に電力を供給可能であると判断し、
前記バッテリ残量検出部が前記内蔵バッテリの残量の容量に対する比が所定値よりも大きいことを検出した場合に、前記内蔵バッテリから自機に電力を供給可能であると判断する、ことを特徴とする請求項１に記載の電子機器。
【請求項３】
前記第１の点灯態様は、第１の色の連続点灯であり、
前記第２の点灯態様は、前記第１の色と異なる第２の色の点滅である、ことを特徴とする請求項１または２のいずれか一項に記載の電子機器。
【発明の詳細な説明】
【技術分野】
【０００１】
本開示は、バッテリ駆動可能な電子機器に関する。
【背景技術】
【０００２】
特許文献１は、２つのバッテリを搭載可能な電子機器を開示する。この電子機器は、背面にＬＥＤを備え、そのＬＥＤを所定の態様で点灯させることにより、利用者に、２つのバッテリのうちの一方を脱離可能か否かについて通知する。
【先行技術文献】
【特許文献】
【０００３】
【特許文献１】特開２０１４−０５９６１９号公報
【発明の概要】
【０００４】
本開示における電子機器は、バッテリから供給される電力により動作可能な電子機器であって、
第１バッテリを脱着可能に装着する第１装着部と、
第１バッテリと異なる第２バッテリを脱着可能に装着する第２装着部と、
本体に内蔵された内蔵バッテリを設ける。
【０００５】
また、第１装着部に装着された第１バッテリを係止する第１ラッチと、
第２装着部に装着された第２バッテリを係止する第２ラッチと、
第１ラッチおよび第２ラッチの開閉を検出するラッチ開閉検出部を設ける。
【０００６】
また、第１バッテリおよび第２バッテリならびに内蔵バッテリの残量を検出するバッテリ残量検出部と、
発光ダイオードと、
発光ダイオードの点灯および消灯を制御する発光ダイオード制御部を設ける。
【０００７】
さらに、発光ダイオード制御部は、ラッチ開閉検出部が第１ラッチの開放を検出した場合、バッテリ残量検出部による検出結果に基づいて、第２バッテリ、および、内蔵バッテリの少なくともいずれかから自機に電力を供給可能な場合に、発光ダイオードを第１の点灯態様で点灯させ、第２バッテリ、および、内蔵バッテリから自機に電力を供給できない場合に、発光ダイオードを第２の点灯態様で点灯させる。
【０００８】
また、ラッチ開閉検出部が第２ラッチの開放を検出した場合、バッテリ残量検出部による検出結果に基づいて、第１バッテリ、および、内蔵バッテリの少なくともいずれかから自機に電力を供給可能な場合に、発光ダイオードを第１の点灯態様で点灯させ、第１バッテリ、および内蔵バッテリから自機に電力を供給できない場合に、発光ダイオードを第２の点灯態様で点灯させる。
【０００９】
本開示における電子機器は、利用者に、動作中にバッテリの脱離が可能であるのか否かを判りやすく通知することができる。
【図面の簡単な説明】
【００１０】
【図１】図１は、第１の実施の形態における電子機器の斜視図である。
【図２Ａ】図２Ａは、第１の実施の形態における電子機器の底面斜視図である。
【図２Ｂ】図２Ｂは、第１の実施の形態における電子機器の底面に設置された発光ダイオードを説明するための図である。
【図３Ａ】図３Ａは、第１の実施の形態における電子機器の第１バッテリの脱離を説明するための図である。
【図３Ｂ】図３Ｂは、第１の実施の形態における電子機器の第１バッテリの装着を説明するための図である。
【図４Ａ】図４Ａは、第１の実施の形態における電子機器の第２バッテリの脱離を説明するための図である。
【図４Ｂ】図４Ｂは、第１の実施の形態における電子機器の第２バッテリの装着を説明するための図である。
【図５】図５は、第１の実施の形態における電子機器の構成を説明するブロック図である。
【図６】図６は、第１の実施の形態における電子機器のＬＥＤ点灯参照テーブルを説明するための図である。
【図７】図７は、第１の実施の形態における電子機器のＬＥＤ制御に関する処理のフローチャートである。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を十分に理解するために添付図面および以下の説明を提供するのであって、これらによって請求の範囲に記載の主題を限定することを意図するものではない。
【００１３】
（第１の実施の形態）
以下、図１〜図７を用いて、第１の実施の形態を説明する。
【００１４】
［１−１．構成］
図１は、第１の実施の形態における電子機器の斜視図である。電子機器１は、所謂、パーソナルコンピュータである。同図に示されるように、パーソナルコンピュータである電子機器１は、本体２と、本体２の端部に回動自在に接続された表示部であるディスプレイ３と、本体２の上面に設けられたキーボード４およびポインティングデバイス５を有する。電子機器１は、図示しない記憶部を備える。記憶部は、オペレーティングシステムや様々なアプリケーションソフトウェアのプログラムを格納している。電子機器１は、オペレーティングシステムやアプリケーションソフトウェアのプログラムを実行することで、利用者に様々な機能を提供することができる。
【００１５】
図２Ａは、第１の実施の形態における電子機器の底面の構成を示す斜視図である。電子機器１は、本体２の側部に設けられた２つのスロットに第１バッテリ９１と第２バッテリ９２とを着脱可能に装着することができる。第１バッテリ９１および第２バッテリ９２はともに二次電池であり、装着および脱離が容易な構成となっている。なお、後述するように、電子機器１は、さらに、内蔵型の二次電池である内蔵バッテリ（図示せず）を本体２内部に備える。つまり、電子機器１は、２つの脱着可能な二次電池と、内蔵型の二次電池との３つの二次電池を搭載することが可能である。
【００１６】
図２Ｂは、電子機器１の底面のほぼ中央部の模式図である。電子機器１の底面のほぼ中央部には、第１ラッチ７１、１つの発光ダイオード（以下ＬＥＤと称す）８、第２ラッチ７２が配置されている。第１ラッチ７１は、装着された第１バッテリ９１を係止するためのラッチである。第２ラッチ７２は、装着された第２バッテリ９２を係止するためのラッチである。第１ラッチ７１および第２ラッチ７２は、本体２内でバネ等の部材により付勢されており、利用者が第１ラッチ７１や第２ラッチ７２を開放する方向に力を加えない限り、それらは閉状態を維持する。ＬＥＤ８は、利用者に対し、第１バッテリ９１、および第２バッテリ９２の少なくともいずれか一方を、電子機器１の動作中に、電子機器１から脱離することが可能であるのか否かを通知するための発光素子である。すなわち、ＬＥＤ８は、利用者に対し、所謂ホットスワップ（Ｈｏｔ  Ｓｗａｐ）機能（機器の電源を入れ稼動状態を保ったまま部品などを交換、装着、抜去できる機能）を利用できるか否かを通知するための発光素子である。
【００１７】
図３Ａは、第１の実施の形態における電子機器の第１バッテリ９１の脱離方法を説明する図である。第１バッテリ９１を電子機器１から脱離する場合、利用者は、第１ラッチ７１を矢印Ａ方向にスライドさせて第１ラッチ７１を開状態に維持しつつ第１バッテリ９１を本体２から矢印Ｂ方向に引き出す。この作業により、第１バッテリ９１を電子機器１から簡単に脱離することができる。
【００１８】
図３Ｂは、第１の実施の形態における電子機器の第１バッテリ９１の装着方法を説明する図である。第１バッテリ９１を電子機器１に装着する場合、利用者は、第１バッテリ９１を本体２の側部のスロットに矢印Ｃ方向に挿入する。この作業により、第１バッテリ９１を電子機器１に簡単に装着することができる。
【００１９】
図４Ａは、第１の実施の形態における電子機器の第２バッテリ９２の脱離方法を説明する図である。第２バッテリ９２を電子機器１から脱離する場合、利用者は、第２ラッチ７２を矢印Ｄ方向にスライドさせて第２ラッチ７２を開状態に維持しつつ第２バッテリ９２を矢印Ｅ方向に引き出す。この作業により、第２バッテリ９２を電子機器１から簡単に脱離することができる。
【００２０】
図４Ｂは、第１の実施の形態による電子機器の第２バッテリ９２の装着方法を説明する図である。第２バッテリ９２を電子機器１に装着する場合、利用者は、第２バッテリ９２を本体２の側部のスロットに矢印Ｆ方向に挿入する。この作業により、第２バッテリ９２を電子機器１に簡単に装着することができる。
【００２１】
図５は、第１の実施の形態における電子機器の構成を示すブロック図である。電子機器１は、自機のための電源として、ＡＣアダプタ９９、第１バッテリ装着部１９１に装着される第１バッテリ９１、第２バッテリ装着部１９２に装着される第２バッテリ９２、および内蔵バッテリ９３を利用することが可能である。
【００２２】
第１バッテリ９１は、例えば、出力４５Ｗｈの二次電池である。第１バッテリ９１は、電子機器１がバッテリで駆動する際に優先的に使用される主バッテリである。第１バッテリ９１は、第１スイッチ２１１およびダイオード２０２を介して電力制御部２２１を含む負荷と接続されている。電子機器１は、第１スイッチ２１１を第１バッテリ９１側に設定することにより、第１バッテリ９１が保持する電力を利用することができる。
【００２３】
第２バッテリ９２は、例えば、出力３３Ｗｈの二次電池である。第２バッテリ９２は、第１バッテリ９１が使用できない場合等に使用される副バッテリである。第２バッテリ９２は、第１スイッチ２１１およびダイオード２０２を介して電力制御部２２１を含む負荷と接続されている。電子機器１は、第１スイッチ２１１を第２バッテリ９２側に設定することにより、第２バッテリ９２が保持する電力を利用することができる。
【００２４】
内蔵バッテリ９３は、例えば、出力７Ｗｈの二次電池である。内蔵バッテリ９３は、電子機器１の動作中に第１バッテリ９１や第２バッテリ９２を交換して装着する機能（ホットスワップ機能）を実現するためのブリッジバッテリである。内蔵バッテリ９３は、第２スイッチ２１２およびダイオード２０３を介して電力制御部２２１を含む負荷と接続されている。電子機器１は、第２スイッチ２１２をオンに設定することにより、内蔵バッテリ９３が保持する電力を利用することができる。なお、本実施の形態では、内蔵バッテリ９３は、本体からの脱離が容易でない構成となっているが、内蔵バッテリ９３を本体から着脱可能な構成としてもよい。
【００２５】
ここで、ダイオード２０２とダイオード２０３とは、電力制御部２２１を含む負荷に対して並列に接続されている。このような構成により、電子機器１がバッテリで動作する場合、ダイオード２０２およびダイオード２０３のうちでより高電位である側から負荷に対し電力が供給される。
【００２６】
バッテリ残量検出部１９５は、第１バッテリ９１、第２バッテリ９２、および内蔵バッテリ９３それぞれの出力電圧を測定し、測定結果に基づいて、第１バッテリ９１、第２バッテリ９２、および内蔵バッテリ９３それぞれの残量を検出する。バッテリ残量検出部１９５の検出結果は、電力制御部２２１へ送られる。なお、本実施の形態では、一つのバッテリ残量検出部１９５にて第１バッテリ９１、第２バッテリ９２、および内蔵バッテリ９３の残量を検出しているが、第１バッテリ９１、第２バッテリ９２、および内蔵バッテリ９３、それぞれの残量を検出するバッテリ残量検出部１９５を複数設ける構成としてもよい。
【００２７】
ラッチ開閉検出部１７０は、第１ラッチ７１（図３Ａ参照）および第２ラッチ７２（第４Ａ参照）それぞれの開閉状態を検出する。ラッチ開閉検出部１７０の検出結果は、電力制御部２２１へ送られる。なお、本実施の形態において、開閉状態の検出方法に特に限定はない。なお、本実施の形態では、一つのラッチ開閉検出部１７０にて第１ラッチ７１および第２ラッチ７２の開閉状態を検出しているが、第１ラッチ７１、第２ラッチ７２それぞれの開閉状態を検出するためのラッチ開閉検出部１７０を複数設ける構成としてもよい。
【００２８】
なお、第１ラッチ７１が開状態であるということは、第１ラッチ７１を図３Ａに示す矢印Ａ方向にスライドさせた状態であり、第１バッテリ装着部１９１に対して第１バッテリ９１が着脱自在の状態にあるということである。第１ラッチ７１が閉状態であるということは、第１ラッチ７１に矢印Ａ方向にスライドさせる力が加えられていない状態であり、第１バッテリ装着部１９１に対して第１バッテリ９１の脱離が不可能な状態にあるということである。同様に、第２ラッチ７２が開状態であるということは、第２ラッチ７２を図４Ａに示す矢印Ｄ方向にスライドさせた状態であり、第２バッテリ装着部１９２に対して第２バッテリ９２が着脱自在の状態にあるということである。第２ラッチ７２が閉状態であるということは、第２ラッチ７２に矢印Ｄ方向にスライドさせる力が加えられていない状態であり、第２バッテリ装着部１９２に対して第２バッテリ９２の脱離が不可能な状態にあるということである。
【００２９】
バッテリ接続検出部１９４は、第１バッテリ装着部１９１に第１バッテリ９１が装着されているか否かを検出するとともに、第２バッテリ装着部１９２に第２バッテリ９２が装着されているか否かを検出する。バッテリ接続検出部１９４の検出結果は、電力制御部２２１へ送られる。なお、本実施の形態において、接続の有無の検出方法に特に限定はない。なお、本実施の形態では、一つのバッテリ接続検出部１９４にて、第１バッテリ９１および第２バッテリ９２が装着されているか否かを、それぞれ検出している。しかし、第１バッテリ９１、第２バッテリ９２それぞれの装着を検出するバッテリ接続検出部１９４を複数設ける構成としてもよい。
【００３０】
電力制御部２２１は、電子機器１の電力制御を司るプロセッサである。電力制御部２２１は、例えば、ＥＣ（エンベデッドコントローラ（Ｅｍｂｅｄｄｅｄ  Ｃｏｎｔｒｏｌｌｅｒ））マイコンである。但し、電力制御部２２１は、ＥＣマイコンに限定されない。電力制御部２２１は、第１バッテリ９１等から供給される電力を受け、それを電子機器１の各部へ供給する。
【００３１】
併せて電力制御部２２１は、バッテリ残量検出部１９５、ラッチ開閉検出部１７０、およびバッテリ接続検出部１９４それぞれが出力する検出結果に基づいて、第１スイッチ２１１および第２スイッチ２１２を制御する。そうすることで、電力制御部２２１は、電力の供給元を第１バッテリ９１、第２バッテリ９２、および内蔵バッテリ９３の間で切り換えることができる。電力制御部２２１による第１スイッチ２１１および第２スイッチ２１２の制御は、電子機器１の動作中におけるバッテリ交換（ホットスワップ（Ｈｏｔ  Ｓｗａｐ）機能）を可能にするとともに、電力供給元を主バッテリである第１バッテリ９１から副バッテリである第２バッテリ９２に自動的に切り換える機能を実現する。
【００３２】
また、電力制御部２２１は、表示部であるディスプレイ３およびそれを制御するディスプレイ制御部２３１や、中央演算処理部（ＣＰＵ２４１）の電力制御をすることができる。ディスプレイ制御部２３１は、電力制御部２２１およびＣＰＵ２４１の制御下で、ディスプレイ３の電力消費や表示を制御する回路である。情報表示のための表示部を構成するディスプレイ３は、例えば、液晶ディスプレイである。なお、ディスプレイ３は、液晶ディスプレイに限定されない。
【００３３】
ＣＰＵ２４１は、電子機器１全体を制御する中央演算装置である。ＣＰＵ２４１は、図示しない記憶部に保持されたオペレーティングシステムやアプリケーションソフトウェアのプログラムを実行することにより、様々な機能を利用者に提供する。
【００３４】
発光ダイオード制御部（以下、ＬＥＤ制御部と称す）２５１は、電力制御部２２１の制御下で、ＬＥＤ８の点灯／消灯、および表示色を制御する回路である。ＬＥＤ８は、複数色（例えば、赤と緑）で発光可能な発光ダイオードである。
【００３５】
また、電力制御部２２１は、バッテリ残量検出部１９５、ラッチ開閉検出部１７０、およびバッテリ接続検出部１９４それぞれの検出結果に基づいて、ＬＥＤ制御部２５１を制御することにより、ＬＥＤ８の点灯／消灯および発光色を制御する。詳細には、電力制御部２２１は、ラッチ開閉検出部１７０が第１ラッチ７１および第２ラッチ７２の少なくともいずれかが開放されたことを検出すると、バッテリ残量検出部１９５、およびバッテリ接続検出部１９４の検出結果に基づいて、第１バッテリ９１および第２バッテリ９２を電子機器１の動作中に脱離してもよいか否かを判断し、判断結果を、ＬＥＤ８を通じて利用者に報知する。
【００３６】
図６は、ＬＥＤ点灯参照テーブル２２２の一例を示す図である。
【００３７】
ＬＥＤ点灯参照テーブル２２２は、電力制御部２２１が、ＬＥＤ８の点灯制御に際し参照する参照テーブルである。ＬＥＤ点灯参照テーブル２２２は記憶回路に保持される。なお、本実施の形態において記憶回路の構成は特定の形態に限定されない。ＬＥＤ点灯参照テーブル２２２は、電力制御部２２１に含まれてもよい。
【００３８】
ＬＥＤ点灯参照テーブル２２２は、内蔵バッテリ９３が電子機器１に電力を供給できるか否かを区別する情報である内蔵バッテリ情報２２２ａを管理する。また、ＬＥＤ点灯参照テーブル２２２は、第１バッテリ９１が電子機器１に電力を供給できるか否かを区別する情報である第１バッテリ情報２２２ｂと、第２バッテリ９２が電子機器１に電力を供給できるか否かを区別する情報である第２バッテリ情報２２２ｃを管理する。
【００３９】
内蔵バッテリ情報２２２ａは、内蔵バッテリ９３に保持される電力の残量を「無」および「有」で区別して管理する。「無」とは、内蔵バッテリ９３に保持される電力の残量が、ゼロ（または殆どゼロ）（あるいは、容量に対する残量の比が所定の％以下）である状態を指し、「有」とは、内蔵バッテリ９３に保持される電力の残量が、ゼロ（または殆どゼロ）（あるいは、容量に対する残量の比が所定の％以下）ではない状態を指す。
【００４０】
第１バッテリ情報２２２ｂは、第１バッテリ９１に保持される電力の残量を「無」および「有」で区別して管理する。「無」とは、第１バッテリ９１が第１バッテリ装着部１９１に装着されているがその残量がゼロ（または殆どゼロ）（あるいは、容量に対する残量の比が所定の％以下）である状態と、第１バッテリ９１が第１バッテリ装着部１９１に装着されていない状態の２つの状態を指す。「有」とは、第１バッテリ９１が第１バッテリ装着部１９１に装着され、その残量がゼロ（または殆どゼロ）（あるいは、容量に対する残量の比が所定の％以下）でない状態を指す。
【００４１】
第２バッテリ情報２２２ｃは、第２バッテリ９２に保持される電力の残量を「無」および「有」で区別して管理する。「無」とは、第２バッテリ９２が第２バッテリ装着部１９２に装着されているがその残量がゼロ（または殆どゼロ）（あるいは、容量に対する残量の比が所定の％以下）である状態と、第２バッテリ９２が第２バッテリ装着部１９２に装着されていない状態の２つの状態を指す。「有」とは、第２バッテリ９２が第２バッテリ装着部１９２に装着されその残量がゼロ（または殆どゼロ）（あるいは、容量に対する残量の比が所定の％以下）でない状態を指す。
【００４２】
また、ＬＥＤ点灯参照テーブル２２２は、第１ラッチ７１が開放された場合におけるＬＥＤ８の点灯態様の情報である第１ラッチ開情報２２２ｄと、第２ラッチ７２が開放された場合におけるＬＥＤ８の点灯態様の情報である第２ラッチ開情報２２２ｅを管理する。さらに、ＬＥＤ点灯参照テーブル２２２は、第１ラッチ７１および第２ラッチ７２の両方が開放された場合におけるＬＥＤ８の点灯態様の情報である第１ラッチおよび第２ラッチ開情報２２２ｆを管理する。
【００４３】
第１ラッチ開情報２２２ｄは、第１ラッチ７１が開放されたときに、ＬＥＤ８の点灯態様をどのようにすべきかを示す情報である。
【００４４】
第２ラッチ開情報２２２ｅは、第２ラッチ７２が開放されたときに、ＬＥＤ８の点灯態様をどのようにすべきかを示す情報である。
【００４５】
第１ラッチおよび第２ラッチ開情報２２２ｆは、第１ラッチ７１および第２ラッチ７２の両方が開放されたときに、ＬＥＤ８の点灯態様をどのようにすべきかを示す情報である。
【００４６】
第１ラッチ開情報２２２ｄ、第２ラッチ開情報２２２ｅ、および、第１ラッチおよび第２ラッチ開情報２２２ｆにおける「消灯」は、ＬＥＤ８を消灯すべきであることを指し、第１の点灯態様である「緑点灯」は、ＬＥＤ８を緑色で点灯すべきであることを指し、第２の点灯態様である「赤点滅」は、ＬＥＤ８を赤色で点滅させるべきであることを指す。
【００４７】
ここで、第１ラッチ開情報２２２ｄが「消灯」ということは、電子機器１が動作していない状態であり、第１ラッチ７１を開放しても、電子機器１に対する影響が無いことを示す。また、第１ラッチ開情報２２２ｄが「緑点灯」ということは、第１ラッチ７１を開放して動作中の電子機器１から第１バッテリ９１が離脱しても、電子機器１が動作停止しないことを示す。さらに、第１ラッチ開情報２２２ｄが「赤点滅」ということは、第１ラッチ７１を開放して動作中の電子機器１から第１バッテリ９１が離脱すると、電子機器１が動作停止することを示す。
【００４８】
同様に、第２ラッチ開情報２２２ｅが「消灯」ということは、電子機器１が動作していない状態であり、第２ラッチ７２を開放しても、電子機器１に対する影響が無いことを示す。また、第２ラッチ開情報２２２ｅが「緑点灯」ということは、第２ラッチ７２を開放して動作中の電子機器１から第２バッテリ９２が離脱しても、電子機器１が動作停止しないことを示す。さらに、第２ラッチ開情報２２２ｅが「赤点滅」ということは、第２ラッチ７２を開放して動作中の電子機器１から第２バッテリ９２が離脱すると、電子機器１が動作停止することを示す。
【００４９】
同様に、第１ラッチおよび第２ラッチ開情報２２２ｆが「消灯」ということは、電子機器１が動作していない状態であり、第１ラッチ７１および第２ラッチ７２の両方を開放しても、電子機器１に対する影響が無いことを示す。また、第１ラッチおよび第２ラッチ開情報２２２ｆが「緑点灯」ということは、第１ラッチ７１および第２ラッチ７２の両方を開放し、動作中の電子機器１から第１バッテリ９１および第２バッテリ９２の両方あるいは一方が離脱しても、電子機器１が動作停止しないことを示す。さらに、第１ラッチおよび第２ラッチ開情報２２２ｆが「赤点滅」ということは、第１ラッチ７１および第２ラッチ７２の両方を開放し、動作中の電子機器１から第１バッテリ９１および第２バッテリ９２の両方あるいは一方を離脱すると、電子機器１が動作停止することを示す。
【００５０】
電力制御部２２１は、ラッチ開閉検出部１７０が第１ラッチ７１および第２ラッチ７２の少なくともいずれかが開放されたことを検出すると、バッテリ残量検出部１９５、およびバッテリ接続検出部１９４の検出結果に基づいて、内蔵バッテリ９３、第１バッテリ９１、および第２バッテリ９２の状態（上述の「無」または「有」）を認識する。そして、電力制御部２２１は、ＬＥＤ点灯参照テーブル２２２の内蔵バッテリ情報２２２ａ、第１バッテリ情報２２２ｂ、および第２バッテリ情報２２２ｃを参照して、ＬＥＤ点灯参照テーブル２２２から認識した状態と一致する行を特定する。そして、電力制御部２２１は、その特定された行における、ラッチ開閉検出部１７０が開放を検出したラッチに対応する列の情報を取得する。そうすることで、電力制御部２２１は、ラッチ開閉検出部１７０が開放を検出した場合にＬＥＤ８をどのような色でどのように（点灯、点滅等）表示すべきかを特定する。
【００５１】
［１−２．動作］
次に、図７のフローチャートを参照して、電子機器１の動作について説明する。図７は、電力制御部２２１によるＬＥＤ点灯制御を説明するためのフローチャートである。図７のフローチャートに示した処理は、電力制御部２２１が所定のプログラムを実行することにより実現される。電力制御部２２１は、図７に示した処理を、随時繰り返し実行することができる。
【００５２】
電力制御部２２１は、ラッチ開閉検出部１７０による検出結果に基づいて、第１ラッチ７１および第２ラッチ７２の少なくともいずれか一方が開放されたか否かを判断する（ステップＳ１）。電力制御部２２１が、第１ラッチ７１および第２ラッチ７２の少なくともいずれか一方が開放されたと判断すると（ステップＳ１における「ＹＥＳ」）、処理は、ステップＳ２へ進む。
【００５３】
ステップＳ２において、電力制御部２２１は、バッテリ接続検出部１９４およびバッテリ残量検出部１９５による検出結果に基づいて、第１バッテリ９１、第２バッテリ９２、および内蔵バッテリ９３の状態を取得する。
【００５４】
そして、電力制御部２２１は、ＬＥＤ点灯参照テーブル２２２を参照して、ステップＳ２で取得した第１バッテリ９１、第２バッテリ９２、および内蔵バッテリ９３の状態と一致する行をＬＥＤ点灯参照テーブル２２２から特定する。電力制御部２２１は、そのようにして特定した行における、ラッチ開閉検出部１７０による検出結果と一致する列を特定し、ＬＥＤ８の点灯態様に関する情報を取得する。そして、電力制御部２２１は、取得したＬＥＤ８の点灯態様に関する情報に従ってＬＥＤ８を点灯させる（ステップＳ３）。
【００５５】
以下、ＬＥＤ８に対する点灯制御の具体例を示す。
【００５６】
例えば、ラッチ開閉検出部１７０が、第１ラッチ７１の開放（第２ラッチ７２は閉状態）を検出したとする。そのとき、バッテリ接続検出部１９４は、第１バッテリ９１および第２バッテリ９２が装着されていることを検出したとする。また、バッテリ残量検出部１９５は、第１バッテリ９１の残量はゼロ（または殆どゼロ）（あるいは、容量に対する残量の比が所定の％以下）であり、第２バッテリ９２の残量は電子機器１の駆動に十分（容量に対する残量の比が所定の％より大きい）なだけ保持されていることを検出したとする。さらに、バッテリ残量検出部１９５は、内蔵バッテリ９３の残量はゼロ（または殆どゼロ）（あるいは、容量に対する残量の比が所定の％以下）であることを検出したとする。
【００５７】
この場合、電力制御部２２１は、内蔵バッテリ９３、第１バッテリ９１、および第２バッテリ９２の状態を、「無」、「無」、「有」であると判断する。この状態は、図６に示すＬＥＤ点灯参照テーブル２２２の２行目と一致する。そこで、電力制御部２２１は、その特定した行の第１ラッチ開情報２２２ｄの情報（第１の点灯態様である「緑点灯」）を取得する。
【００５８】
そして、電力制御部２２１は、ＬＥＤ制御部２５１を通して、ＬＥＤ８を緑色で点灯させる。
【００５９】
この例では、第１ラッチ７１が開放され、第２バッテリ９２の残量が十分に残されている。第１ラッチ７１の開放は、第１バッテリ９１の脱離のための準備であると考えられる。しかしながら、第２バッテリ９２の残量が十分に残されているため、第１スイッチ２１１を第２バッテリ９２側に制御すれば、第１バッテリ９１が脱離されたとしても、電子機器１は、動作可能である。すなわち、電子機器１の動作中に第１バッテリ９１を換装（脱離して装着）することが可能である。そこで、電力制御部２２１は、ＬＥＤ８を緑色で点灯させることにより、利用者に、第１バッテリ９１のホットスワップが可能であることを報知する。
【００６０】
また、例えば、ラッチ開閉検出部１７０が、第２ラッチ７２の開放（第１ラッチ７１は閉状態）を検出したとする。先例と同様に、そのとき、バッテリ接続検出部１９４は、第１バッテリ９１および第２バッテリ９２が装着されていることを検出し、バッテリ残量検出部１９５は、第１バッテリ９１の残量はゼロ（または殆どゼロ）（あるいは、容量に対する残量の比が所定の％以下）であり、第２バッテリ９２の残量は電子機器１の駆動に十分（容量に対する残量の比が所定の％より大きい）なだけ保持されており、内蔵バッテリ９３の残量はゼロ（または殆どゼロ）（あるいは、容量に対する残量の比が所定の％以下）であることを検出したとする。
【００６１】
この場合、電力制御部２２１は、内蔵バッテリ９３、第１バッテリ９１、および第２バッテリ９２の状態を、「無」、「無」、「有」であると判断する。この状態は、図６に示すＬＥＤ点灯参照テーブル２２２の２行目と一致する。そこで、電力制御部２２１は、その特定行の第２ラッチ開情報２２２ｅの情報（第２の点灯態様である「赤点滅」）を取得する。
【００６２】
そして、電力制御部２２１は、ＬＥＤ制御部２５１を通して、ＬＥＤ８を赤色で点滅させる。
【００６３】
この例では、残量が十分に残されている第２バッテリ９２を固定する第２ラッチ７２が開放されている。第２ラッチ７２の開放は、第２バッテリ９２の脱離のための準備であると考えられる。しかしながら、バッテリ残量が十分に残されているのは第２バッテリ９２のみであり、第１バッテリ９１および内蔵バッテリ９３から電子機器１に電力を給電することはできない。したがって、このような状況で第２バッテリ９２が脱離した場合には、電子機器１は、動作不可能になる。すなわち、電子機器１の動作中に第２バッテリ９２を換装することはできない。そこで、電力制御部２２１は、ＬＥＤ８を赤色で点滅させることにより、利用者に、第２バッテリ９２のホットスワップができないことを警告する。これにより、第２ラッチ７２を開放した利用者は、第２バッテリ９２の脱離を取りやめる判断をすることができ、電子機器１の動作停止を未然に防止することができる。
【００６４】
また、例えば、ラッチ開閉検出部１７０が、第１ラッチ７１および第２ラッチ７２両方の開放を検出したとする。先例と同様に、そのとき、バッテリ接続検出部１９４は、第１バッテリ９１および第２バッテリ９２が装着されていることを検出する。また、バッテリ残量検出部１９５は、第１バッテリ９１の残量はゼロ（または殆どゼロ）（あるいは、容量に対する残量の比が所定の％以下）であり、第２バッテリ９２の残量は電子機器１の駆動に十分（容量に対する残量の比が所定の％より大きい）なだけ保持されていることを検出したとする。また、バッテリ残量検出部１９５は、内蔵バッテリ９３の残量はゼロ（または殆どゼロ）（あるいは、容量に対する残量の比が所定の％以下）であることを検出したとする。
【００６５】
この場合、電力制御部２２１は、内蔵バッテリ９３、第１バッテリ９１、および第２バッテリ９２の状態を、「無」、「無」、「有」であると判断する。この状態は、図６に示すＬＥＤ点灯参照テーブル２２２の２行目と一致する。そこで、電力制御部２２１は、その特定された行の第１ラッチおよび第２ラッチ開情報２２２ｆの情報（第２の点灯態様である「赤点滅」）を取得する。
【００６６】
そして、電力制御部２２１は、ＬＥＤ制御部２５１を通して、ＬＥＤ８を赤色で点滅させる。
【００６７】
この例では、残量が無い第１バッテリ９１を固定する第１ラッチ７１と残量が十分に残されている第２バッテリ９２を固定する第２ラッチ７２の両方が開放されている。これは、第１バッテリ９１および第２バッテリ９２の両方を同時に脱離するための準備であると考えられる。しかしながら、バッテリ残量が十分に残されているのは第２バッテリ９２のみであり、内蔵バッテリ９３から電子機器１に電力を給電することはできない。したがって、このような状況で第１バッテリ９１および第２バッテリ９２を脱離した場合には、電子機器１は、動作不可能になる。すなわち、電子機器１の動作中に第１バッテリ９１および第２バッテリ９２の両方を脱離することはできない。そこで、電力制御部２２１は、ＬＥＤ８を赤色で点滅させることにより、利用者に、第１バッテリ９１および第２バッテリ９２のホットスワップができないことを警告する。これにより、第１ラッチ７１および第２ラッチ７２を開放した利用者は、第１バッテリ９１および第２バッテリ９２の脱離を取りやめる判断をすることができ、電子機器１の動作停止を未然に防止することができる。
【００６８】
以上、電力制御部２２１は、内蔵バッテリ９３、第１バッテリ９１、および第２バッテリ９２の状態を、「無」、「無」、「有」であると判断するケースについて、開放されるラッチを替えて説明した。内蔵バッテリ９３、第１バッテリ９１、および第２バッテリ９２の状態を、「無」、「無」、「有」以外の場合については、基本的な動作が上記した例と同様であるので、詳細な例示を省略する。
【００６９】
基本的には、電力制御部２２１は、開放されたラッチに対応するバッテリが取り外されたとしても、残りのバッテリから電力が供給可能な場合には、ＬＥＤ８を第１の点灯態様である緑色で点灯させて、利用者に、ホットスワップ可能であることを報知し、残りのバッテリから電力が供給されない場合には、ＬＥＤ８を第２の点灯態様である赤色で点滅させて、利用者に、ホットスワップ不可能であることを報知する。
【００７０】
［１−３．効果等］
本実施の形態による電子機器１は、第１バッテリ９１、第２バッテリ９２、および内蔵バッテリ９３の３つのバッテリを搭載可能であり、第１バッテリ９１および第２バッテリ９２のホットスワップが可能であるかどうかを利用者に報知する１つのＬＥＤ８を備える。電子機器１は、まず、第１バッテリ９１および第２バッテリ９２を固定する第１ラッチ７１および第２ラッチ７２が開放されたことを検出する。そして、開放状態が検出されたラッチにより固定されていたバッテリが取り外されてもなお動作を継続できるか否かを判断し、その判断に応じてＬＥＤ８を緑色で点灯させ、または、赤色で点滅させ、利用者に、バッテリの脱離が可能であるか否かを報知する。これにより、利用者は、ラッチを開く操作を行った時点で開放操作を行ったラッチにより固定されたバッテリを脱離することが可能かどうかを知ることができ、バッテリの脱離に伴う電子機器１の動作停止を未然に防止することが可能となる。
【００７１】
以上のように、本出願において開示する技術の例示として、第１の実施の形態を説明した。しかしながら、本開示における技術は、これに限定されず、適宜、変更、置き換え、付加、省略などを行った実施の形態にも適用可能である。
【００７２】
第１の実施の形態では、電子機器１は、第１バッテリ９１、第２バッテリ９２、および内蔵バッテリ９３の３つのバッテリを搭載可能であるとして説明した。しかしながら、搭載可能なバッテリの数は、３つに限定されない。電子機器１は、３またはそれ以上のバッテリを搭載することも可能である。
【００７３】
第１の実施の形態では、制御部は、ＥＣマイコンであるとして説明した。制御部は、ＬＥＤ８の点灯および消灯を制御するものであればよい。
【００７４】
第１の実施の形態では、電子機器１は、バッテリ接続検出部１９４を有するものとして説明した。しかしながら、バッテリ接続検出部１９４は、電子機器１にとって必ずしも必須の構成ではない。なぜなら、ＬＥＤ点灯参照テーブル２２２の参照において、バッテリの装着の有無を考慮せずとも、第１の実施の形態と同様の結果が得られるからである。バッテリが装着されていない場合、バッテリ残量検出部１９５の検出結果は、残量ゼロを示す。したがって、バッテリ残量検出部１９５の検出結果のみを用いて、ＬＥＤ点灯参照テーブル２２２を参照したとしても、第１の実施の形態において説明した場合と同じ結果が得られる。ただし、バッテリ接続検出部１９４の検出結果を利用することが、バッテリの状態の取得の正確性の向上に寄与することは言うまでもない。
【００７５】
以上のように、本開示における技術の例示として、実施の形態を説明した。そのために、添付図面および詳細な説明を提供した。
【００７６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７７】
また、上述の実施の形態は、本開示における技術を例示するためのものであるから、請求の範囲またはその均等の範囲において種々の変更、置き換え、付加、省略などを行うことができる。
【００７８】
このように、本開示は、バッテリ駆動可能な電子機器に適用可能である。
【符号の説明】
【００７９】
１    電子機器
２    本体
３    ディスプレイ
４    キーボード
５    ポインティングデバイス
８    ＬＥＤ（発光ダイオード）
７１    第１ラッチ
７２    第２ラッチ
９１    第１バッテリ
９２    第２バッテリ
９３    内蔵バッテリ
１７０    ラッチ開閉検出部
１９１    第１バッテリ装着部
１９２    第２バッテリ装着部
１９４    バッテリ接続検出部
１９５    バッテリ残量検出部
２０１，２０２，２０３    ダイオード
２１１    第１スイッチ
２１２    第２スイッチ
２２１    電力制御部
２２２    ＬＥＤ点灯参照テーブル
２２２ａ    内蔵バッテリ情報
２２２ｂ    第１バッテリ情報
２２２ｃ    第２バッテリ情報
２２２ｄ    第１ラッチ開情報
２２２ｅ    第２ラッチ開情報
２２２ｆ    第１ラッチおよび第２ラッチ開情報
２３１    ディスプレイ制御部
２４１    ＣＰＵ（中央演算処理部）
２５１    ＬＥＤ制御部（発光ダイオード制御部）
【図１】
2016114143.tif 000003
【図２Ａ】
2016114143.tif 000004
【図２Ｂ】
2016114143.tif 000005
【図３Ａ】
2016114143.tif 000006
【図３Ｂ】
2016114143.tif 000007
【図４Ａ】
2016114143.tif 000008
【図４Ｂ】
2016114143.tif 000009
【図５】
2016114143.tif 000010
【図６】
2016114143.tif 000011
【図７】
2016114143.tif 000012
【国際調査報告】
2016114143.tif 000013
2016114143.tif 000014